(57)【要約】【課題】キャップと筆記具本体とが分離しにくく、ともに紛失しにくい紛失防止筆記具を提供する。【解決手段】キャップ５の縁部に第１フランジ部７を形成する。この第１フランジ部７に対応して筆記具本体１に第２フランジ部９を形成する。第１フランジ部及び第２ランジ部を重ねた状態で連通可能に、両者に連通孔１１を形成する。留め具１３が、これらの連通孔１１に貫通し、貫通した後に、貫通部位を閉じた形状１５の一部にすることで閉じ機能を果たす。【選択図】図１
0003174112.tif 000002
【実用新案登録請求の範囲】
【請求項１】
筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、を有することを特徴とする紛失防止筆記具。
【請求項２】
筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、これらの連通孔に貫通でき、貫通した後に貫通部位を閉じた形状の一部にすることで閉じ機能を果たす留め具と、を有することを特徴とする紛失防止筆記具。 
【請求項３】
前記筆記具本体には、筆記具本体を握る際の手の指を第２フランジ部に触れた状態で、手の指の配置を描いたシールを貼ったことを特徴とする請求項１、または２に記載の紛失防止筆記具。
【考案の詳細な説明】
【技術分野】
【０００１】
この考案は、筆記具を鞄や携帯電話などに吊下げて保持される筆記具が、外れて紛失してしまうのを防止する紛失防止筆記具に関する。
【背景技術】
【０００２】
筆記具をストラップなどの留め具によって、鞄や携帯電話などに吊下げて保持するものが存在する。例えば、図５（Ａ）のように、鞄などにストラップ１０１を介してキャップ１０３が保持され、このキャップ１０３が筆記具本体１０５に被せられて、筆記具が保持される。筆記具の使用時には、図５（Ｂ）のように、キャップ１０３から筆記具本体１０５のみを外して使用する。しかし、鞄が揺れるとキャップ１０３から筆記具本体１０５が外れることがあり、外れると直ちに筆記具本体１０５の紛失につながってしまう。
【０００３】
そこで、出願人は既に、下記特許文献１に示される筆記具を提案した。すなわち、図５（Ｃ）のように、この筆記具は、吊下げ手段１０７が設けられたキャップ１０９から延設されて、筆記具本体１１１を着脱自在に係止する係止手段１１３を有する。この係止手段１１３は、キャップ１０９に一端が固定されて他端に嵌合部１１５が設けられ、この嵌合部１１５に嵌合する被嵌合部１１７が筆記具本体１１１に形成されたもので、筆記具本体１１１を紛失しにくい。筆記具の使用時には、図５（Ｄ）のように、嵌合部１１５の嵌合を外し、キャップ１０９から筆記具本体１１１のみを外して使用する。
【０００４】
また、下記特許文献２には、吊下げ手段である紐の一端に筆記具本体を取付け、この紐の中程にキャップを取付けることで、キャップのみならず筆記具本体も紛失しない工夫がなされている。
【先行技術文献】
【特許文献】
【０００５】
【特許文献１】実登3166288
【特許文献２】特開2002-370493
【考案の概要】
【考案が解決しようとする課題】
【０００６】
しかしながら、上記特許文献１では、嵌合部に強い力がかかれば、キャップと筆記具本体が分離し、やはり筆記具本体を紛失してしまう可能性が生じる。上記特許文献２では、紐の他端に強い引張力がかかると、キャップが外れてインクが乾いてしまうなどの可能性が生じる。
【０００７】
この考案は、以上の問題点を解決するために、キャップと筆記具本体が分離しにくく、ともに紛失しにくい紛失防止筆記具を提供することを目的とする。
【課題を解決するための手段】
【０００８】
以上の課題を解決するために、第一考案は、筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、を有することを特徴とする紛失防止筆記具である。
【０００９】
第二考案は、筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、これらの連通孔に貫通でき、貫通した後に貫通部位を閉じた形状の一部にすることで閉じ機能を果たす留め具と、を有することを特徴とする紛失防止筆記具である。 
第三考案は、さらに、前記筆記具本体には、筆記具本体を握る際の手の指を第２フランジ部に触れた状態で、手の指の配置を描いたシールを貼ったことを特徴とする紛失防止筆記具である。
【考案の効果】
【００１０】
第一考案によれば、キャップの第１フランジ部と、筆記具本体の第２フランジ部とに形成された連通孔を連通させ、これらの連通孔に、留め具などを貫通させることが可能になる。よって、留め具などが、キャップと筆記具本体とを合体させるようにして留めることになり、キャップと筆記具本体が分離しにくい。このため、分離によりインクが乾いてしまうなどの可能性を減らせる。また、留め具などが、直接に、キャップと筆記具本体とを、各々留めることになるので、ともに紛失しにくい。
第二考案によれば、キャップの第１フランジ部と、筆記具本体の第２フランジ部とに形成された連通孔を連通させ、これらの連通孔に、留め具を貫通させることが可能になる。よって、留め具が、キャップと筆記具本体とを合体させるようにして留めることになり、キャップと筆記具本体が分離しにくい。このため、分離によりインクが乾いてしまうなどの可能性を減らせる。また、留め具が、直接に、キャップと筆記具本体とを、各々留めることになるので、ともに紛失しにくい。
さらに、連通孔に貫通した後に貫通部位を閉じた形状の一部にすることで閉じ機能を果たす留め具を用いることで、上記の分離や紛失を、より十分に防止できる。
第三考案によれば、さらに、第２フランジ部を利用して、正しい指の配置で筆記具を握って筆記するトレーニングができる。
【図面の簡単な説明】
【００１１】
【図１】この考案の第一実施形態に係る紛失防止筆記具を示し（Ａ）は留め具を使用する状態の側面図、（Ｂ）は（Ａ）の留め具とキャップを外した状態の側面図、（Ｃ）は（Ｂ）の要部の斜視図、（Ｄ）は（Ｃ）のフランジ部を示す平面図である。
【図２】（Ａ）は図１（Ａ）の留め具の拡大図、（Ｂ）はこの考案の実施形態に使用できる他の留め具の拡大図である。
【図３】（Ａ）はこの考案の第二実施形態に係る紛失防止筆記具の筆記具本体を使用する状態の側面図、（Ｂ）は（Ａ）の筆記具本体を示す側面図、（Ｃ）はこの考案の第三実施形態に係る紛失防止筆記具の筆記具本体を使用する状態の側面図、（Ｄ）は（Ｃ）の筆記具本体を示す側面図、（Ｅ）は（Ｄ）の筆記具本体から指位置シールを剥がした状態を示す図である。
【図４】この考案の第四実施形態に係る紛失防止筆記具を示し（Ａ）は側面図、（Ｂ）は（Ａ）のフランジ部の位置を示す拡大側面図、（Ｃ）（Ｄ）は（Ａ）の機能を説明する側面図である。
【図５】（Ａ）（Ｂ）は従来の筆記具の例を示す側面図、（Ｃ）（Ｄ）は他の従来の筆記具の例を示す側面図である。
【考案を実施するための形態】
【００１２】
「第一実施形態」
この考案の第一実施形態を、図１に示す。
同図（Ｂ）（Ｃ）に示すように、筆記具本体１の端部には、筆記のためのインクを供給する芯先３が設けられる。この筆記具本体１の端部に、キャップ５が取付けられ、インクの乾きや、インクが不用意に周囲を汚すことを防止する。
このキャップ５の縁部には、第１フランジ部７が形成される。そして、この第１フランジ部７に対応して、筆記具本体１に芯先３から所定長さ離れた位置に、第２フランジ部９が形成される。この第２フランジ部９は芯先３から２０ｍｍ程度の位置にある。
同図（Ｄ）に示すように、第１フランジ部７及び第２フランジ部９は、相似の形状を有し、円盤状の鍔部をなし、この円盤の周方向に沿って、５つの連通孔１１が形成される。第１フランジ部７及び第２フランジ部９を重ねた状態で、これらの連通孔１１は、第１フランジ部７及び第２フランジ部９間で互いに、連通可能に位置決めされうる。
【００１３】
留め具１３は、図２（Ａ）に示すように、一般に引き輪と呼ばれる金具を用いたものである。この引き輪は、略円形状の閉じた形状１５を有し、小さなレバー１７を動かすと、略円形状の別体となっている一部１９が、この円形に沿って出没し、開閉する。レバー１７は図示しないバネによって、閉じ方向へ付勢されている。この留め具１３を、レバー１７を動かして開いた状態とし、この開いた部分を、互いに連通した連通孔１１に貫通し、バネにより再びレバー１７を動かして閉じた状態とする。よって、留め具１３は、連通孔１１に貫通した後に貫通部位を閉じた形状１５の一部に戻すことで、留め具１３の機能を果たす。引き輪の外周に、紐２１を通すリング２３が設けられる。
【００１４】
同図（Ａ）に示すように、この紐２１が、鞄２５の取手２６や携帯電話に吊下げられることで、筆記具が吊下げて保持される。
「実施形態の作用効果」
（１）キャップ５の第１フランジ部７と、筆記具本体１の第２フランジ部９とに形成された連通孔１１を連通させ、連通した連通孔１１に、留め具１３などを貫通させることが可能になる。
【００１５】
（２）よって、留め具１３に大きな力が加わっても、力は、留め具１３の閉じた形状１５により、キャップ５と筆記具本体１とを合体させるように働くので、キャップ５と筆記具本体１が分離しにくい。このため、キャップ５が分離することでインクが乾いてしまうなどの可能性を減らせる。
また、留め具１３などが、直接に、キャップ５と筆記具本体１とを、各々留めることになるので、キャップ５または筆記具本体１を、別々に留める場合に比べ、ともに紛失しにくい。
【００１６】
連通孔１１に貫通した後に貫通部位を閉じた形状１５の一部にすることで閉じ機能を果たす留め具１３を用いることで、開閉が迅速で、さらにキャップ５と筆記具本体１の分離や紛失を、より十分に防止できる。
（３）筆記具により筆記をする場合に、筆記具本体１の第２フランジ部９に、中指を当てて、握りの位置決め、正しい握りを行なうことができる。
「他の実施形態」
［１］以上の実施形態では、閉じた形状１５の一部を開閉する留め具１３は、図２（Ａ）に示す引き輪と呼ばれる金具を用いたものであったが、他の実施形態では、図２（Ｂ）に示す、一般にカニカンと呼ばれる金具を用いたものでもよい。
【００１７】
このカニカンは、略円形状の閉じた形状１５を有し、小さなレバー１７を動かすと、略円形状の一部１９が、首振り運動をして、開閉する。レバー１７は図示しないバネによって、閉じ方向へ付勢されている。この留め具１３によっても、上記実施形態と同等の作用効果を得る。
【００１８】
［２］以上の実施形態では、留め具１３は、連通孔１１に貫通でき、貫通した後に貫通部位を閉じた形状１５の一部にすることで閉じ機能を果たす留め具１３であったが、他の実施形態では、端部に大きめのループ状の部分を有する紐２１でもよい。この大きめのループ状の部分に、第１フランジ部７及び第２フランジ部９の連通孔１１を通せば、ループ状の部分の遊びにより、連通孔１１を通した状態で、キャップ５の着脱が可能となる。また、留め具１３である紐２１に大きな力が加わっても、ループ状の紐２１の働きにより、力はキャップ５と筆記具本体１とを合体させるように働くので、キャップ５と筆記具本体１が分離しにくい。
【００１９】
［３］また、図３に示す第二、第三実施形態のように、筆記具本体１の第２フランジ部９の後方に、第２フランジ部９に筆記具本体１を握る際の手の指を触れた状態で、指の配置を描いたシール２７を貼ることもできる。こらにより、第２フランジ部９を利用して、正しい指の配置で筆記具を握って筆記するトレーニングができる。
第二実施形態の同図（Ａ）（Ｂ）と、第三実施形態の同図（Ｃ）（Ｄ）とでは、指の配置が少し異なる。同図（Ｃ）（Ｄ）は、親指を人差し指の第一関節の少し前あたりに当てる握りで、これは人差し指で筆記具をコントロールして字を多く書いても疲れない握り方である。こららのシール２７は同図（Ｅ）に示すように取り外すことが可能なように、シール２７の裏面の粘着力を調整しておく。
【００２０】
［４］また、図４に示す第四実施形態に係る紛失防止筆記具のように、筆記具本体１の両端部にインクを供給する芯先３が設けられるものでも、本発明は実施できる。同図（Ｂ）に示すように、芯先３は例えば、細書き、極細書きのものである。第１フランジ部７と第２フランジの組は、両端に、合計２組設けられる。
【００２１】
同図（Ａ）に示すように、いずれか一方の（同図では右端の）留め具１３を開けて一方のキャップ５を外し、一方の芯先３で筆記具を使用できる。
また、同図（Ｃ）に示すように、外した両端の留め具１３を、一方のキャップ５に設けた係止孔２９に貫通させて、一方の芯先３で筆記をする間、仮置きすることも可能である。この状態で、両端のどちらの芯先３を使っても筆記具を使用することができる。すなわち、同図（Ｃ）中の係止孔２９が設けられていないキャップ５を外して使用することもでき、同図（Ｄ）に示すように、係止孔２９が設けられているキャップ５を外して使用することもできる。
【符号の説明】
【００２２】
１…筆記具本体、３…芯先、５…キャップ、７…第１フランジ部、９…第２フランジ部、１１…連通孔、１３…留め具、１５…閉じた形状、１７…レバー、１９…略円形状の一部、２１…紐、２３…リング、２５…鞄、２７…シール、２９・・係止孔。
【図１】
0003174112.tif 000003
【図２】
0003174112.tif 000004
【図３】
0003174112.tif 000005
【図４】
0003174112.tif 000006
【図５】
0003174112.tif 000007
【手続補正書】
【提出日】平成23年12月23日(2011.12.23)
【手続補正１】
【補正対象書類名】実用新案登録請求の範囲
【補正対象項目名】全文
【補正方法】変更
【補正の内容】
【実用新案登録請求の範囲】
【請求項１】
筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、を有することを特徴とする紛失防止筆記具。
【請求項２】
筆記具本体と、この筆記具本体の端部に取付けるキャップと、このキャップの縁部に形成される第１フランジ部と、この第１フランジ部に対応して前記筆記具本体に形成される第２フランジ部と、前記第１フランジ部及び前記第２フランジ部を重ねた状態で連通可能に両者に形成される連通孔と、閉じた形状を有し、この閉じた形状の一部を開閉でき、開いた部分を前記連通孔に貫通でき、貫通した後に閉じることで閉じ機能を果たす留め具と、を有することを特徴とする紛失防止筆記具。 
【請求項３】
前記筆記具本体には、筆記具本体を握る際の手の指を第２フランジ部に触れた状態で、手の指の配置を描いたシールを貼ったことを特徴とする請求項１、または２に記載の紛失防止筆記具。